(57)【要約】      （修正有）【課題】多段で構成される陳列棚の１つの展示段のディスプレイ表示板（案内や広告の文字，記号，図形，絵または写真を印刷したコルトンフィルム）と展示段の下側に位置する展示品とを同時に照明できると共に、組み立てが容易で、陳列棚に、側面より簡単に装着可能なＬＥＤ照明装置を提供する。【解決手段】ＬＥＤ照明装置１２は、横長のＬＥＤ素子実装基板１がアルミ放熱器２の上下面に搭載され、アルミ放熱器の上下に上透明カバー３および下透明カバー４が嵌合固定されている。このＬＥＤ照明装置を、商品陳列棚の側面からスライド挿入して固定する。ＬＥＤ照明光は上透明カバーと下透明カバーを透過してそれぞれ上下方向に出射されて、案内などのディスプレイ表示板および商品を照明する。【選択図】図１
0003199057.tif 000002
【実用新案登録請求の範囲】
【請求項１】
基板上にＬＥＤ素子を複数個実装してＬＥＤ素子実装基板を組み立て、
放熱器の上下に前記ＬＥＤ素子実装基板をそれぞれ取付けることによりＬＥＤ素子実装基板組体を形成して放熱器の上方向と下方向にそれぞれＬＥＤ素子の光軸を向けてそれぞれ光を照射するように構成し、
該ＬＥＤ素子実装基板組体の周囲を透明カバーで覆い、該透明カバーで覆ったＬＥＤ素子実装基板組体を商品陳列棚の側面から商品陳列棚内にスライド挿入することにより商品陳列棚に固定することを特徴とするＬＥＤ照明装置。
【請求項２】
前記基板は横長の形状であり、該基板に１または複数の列で前記ＬＥＤ素子を複数実装し、
前記放熱器は横長の形状で、該放熱器の上面および下面は長手方向に相互に平行状態になるようにそれぞれ基板搭載面を有し、
前記上面および下面の基板搭載面にそれぞれ搭載するＬＥＤ素子実装基板組体のＬＥＤ素子の光軸は略反対方向に形成されたことを特徴とする請求項１記載のＬＥＤ照明装置。
【請求項３】
前記基板は横長の形状であり、該基板に１または複数の列で前記ＬＥＤ素子を複数実装し、
前記放熱器は横長の形状で、該放熱器の上面および下面は長手方向に一定の角度になるようにそれぞれ基板搭載面を有し、
前記上面および下面の基板搭載面にそれぞれ搭載するＬＥＤ素子実装基板組体のＬＥＤ素子の光軸を傾けることを特徴とする請求項１記載のＬＥＤ照明装置。
【請求項４】
前記透明カバーは、略Ｃ字形状の断面構造で横長の形状であり前記放熱器と略同じ寸法の長さを有する上透明カバーおよび下透明カバーより形成され、
前記上透明カバーおよび下透明カバーを前記ＬＥＤ素子実装基板組体を挟むように覆って組み立てたことを特徴とする請求項１，２または３記載のＬＥＤ照明装置。
【請求項５】
前記放熱器は各端縁に嵌合溝を有し、
透明カバーの略Ｃ字形状断面構造の端部を前記嵌合溝に嵌合させ挿入することにより、前記上透明カバーおよび下透明カバーを前記放熱器に結合することを特徴とする請求項４記載のＬＥＤ照明装置。
【請求項６】
前記放熱器はアルミ材であり、
前記透明カバーはプラスチック材であることを特徴とする請求項１乃至５のいずれかに記載のＬＥＤ照明装置。
【請求項７】
陳列棚の前面側に嵌合空間を形成する上部支持部と下部支持部を有し、前記上部支持部と下部支持部は光を通過させる部材で構成し、
前記上部支持部の上に、略Ｖ字形状の断面構造であって所定長さを有し、Ｖ字形状の表示上板にコルトンフィルムなどの表示体を取り付けたディスプレイ表示板を設け、
前記嵌合空間に前記ＬＥＤ照明装置を側面から挿通して設置することにより、前記ＬＥＤ照明装置の上面から放射する光と下面から放射する光を前記上部支持部および下部支持部を透過させ、前記ディスプレイ表示板の裏面側から前記コルトンフィルムなどの表示体を照明するとともに下段に設けた他の陳列棚の商品等を上部から照明することを特徴とするＬＥＤ照明装置を装着した商品陳列棚。
【請求項８】
前記上部支持部および下部支持部との間に、上透明カバーおよび下透明カバーで覆ったＬＥＤ照明装置を側面からスライド挿入し挟み込んだ状態で押し込むことにより前記ＬＥＤ照明装置を嵌合空間に固定する構造を備えたことを特徴とする請求項７記載のＬＥＤ照明装置を装着した商品陳列棚。
【請求項９】
前記ＬＥＤ照明装置の両端部に雌と雄のコネクタをそれぞれ有し、
１つの陳列棚の雌のコネクタと、該１つの陳列棚に隣接して設けた、他の陳列棚に装着したＬＥＣ照明装置の雄のコネクタとを接続し、各陳列棚にＬＥＤ素子の電力が供給されることを特徴とする請求項７または８記載のＬＥＤ照明装置を装着した商品陳列棚。
【考案の詳細な説明】
【技術分野】
【０００１】
本考案は、商品を陳列した棚に装着し、商品および広告などのディスプレイを照明するためのＬＥＤ照明装置およびこの照明装置を装着した商品陳列棚に関する。
【背景技術】
【０００２】
陳列棚に載置した商品を顧客に明瞭に示すために従来より種々の方法の照明が行われている。
例えば、数段に及ぶ陳列棚に配置された商品を上部前方に照明器具を設けて照明したり、段毎にその上部に照明器具を配置したりする方法などが採られている。
また、棚板をガラスやプラスチックの透明体で構成し、上から照明された光を透明体の棚板を通過させて下段の棚板を照射するようなものがある。棚板の上部に設置された照明器具の光は上側の透明棚板を通過して上部棚を照らすことができるようにもなっている。
【０００３】
Ｖ字形状の実装板のそれぞれの面にＬＥＤ素子などの照明光源を設け、これを一つの棚の上に配置して上方向および下方向に光を照射し、上方向に発した光は上側のディスプレイ板を照射し、下方向に発した光は下側の棚板に載置された商品を照明する照明システムが考えられる。
図１０は、この照明システムの概要を示す図で、（ａ）は該照明システムを取り入れた陳列棚の正面図、（ｂ）は陳列棚の側面図，（ｃ）は照明システムを構成するＬＥＤ素子実装基板をそれぞれ示している。
陳列棚板４２ｂは横長の透明プラスチック板であり、この陳列棚板４２ｂに多数の商品（化粧品など）４３が展示されている。陳列棚板４２ｂの上方に陳列棚板４２ａが配置され、この陳列棚板４２ａの上に断面がＶ字状の横長の基板取付板４４が配置されている。基板取付板４４の板面４４ａおよび４４ｂに多数のＬＥＤ素子４５を配列した照明用基板４６が搭載されている。
【０００４】
透明プラスチック板に文字や絵などを添付したディスプレイ表示板４１が、顧客に対して見やすい角度位置になるように陳列棚板４２ａの手前上に位置付けられている。
板面４４ａに搭載された照明用基板４６から照射される光は、ディスプレイ表示板４１の文字や絵などを照明表示する。
一方、板面４４ｂに搭載された照明用基板４６から照射される光は、陳列棚板４２ａを透過し、陳列棚板４２ｂに展示されている商品４３を照明することができる。
【０００５】
また、陳列台を照明する照明装置として、棚板の前縁部に簡単に取り付けることができ、アイキャッチ性に優れた陳列棚用照明具が提案されている（特許文献１）。
この陳列棚用照明具は、陳列棚の前縁部に、帯板状の薄型ケース内の基板上に実装された複数のＬＥＤを発光させて照明する照明具が設けられており、照明具はカードホルダー部に挿入されたカードの背面から照明を行うものである。
ただし、この基板に実装されたＬＥＤは、商品のメーカーブランドなどを示すカードを照明するためのものであり、陳列棚に陳列された商品を照明するものではない。
【０００６】
商品を照明する照明装置として、商品陳列棚の棚板の下方の商品陳列スペースの全体を均一に照らすことができる棚下灯が提案されている（特許文献２）。
この棚下灯は棚板先端の下面に設けられ、配光制御手段でＬＥＤ光の一部を棚の奥側に配光させる構成にすることにより、棚板全体を照らすものである。
この棚下灯は下面方向のみの照明で商品を照明するものであり、例えば、他の方向を照明し、広告や商品名などをディスプレイする表示板を明るく照らすようには構成されていない。
【０００７】
ティスプレイ部（シェード）と棚下の商品の両方を照らす照明器具が提案されている（特許文献３）。
この照明具及び商品陳列棚では、棚板の取付部に取り付けたＬＥＤ照明体は多数のＬＥＤ素子を基板の一面に搭載しており、多数のＬＥＤ素子からの光は一定の照射角度範囲で下方を照らし、その一部の光は反射板で反射され、シェード内のサインシートを背面から照射するように構成されている。
【０００８】
しかしながら、照射光は一方向に一定の照射角度範囲で照射され、その光を２分割して上下方向の光を導く構成を採用している。
この構造は反射板を使用した構成を採っているため、陳列棚の構造が複雑になって価格上昇の原因にもなる。また、光を２分割した構成としているため、棚下の商品をムラなく十分に照らすものになっているかは定かでない。また、サインシートを照らす光は１回反射した光が導かれるため、サインシートを照らす光の角度は直角方向からではなく、光が当たる部分は斜めから光が入る構造となっており、サインシートを照らす光の分布も適切ではない。
【先行技術文献】
【特許文献】
【０００９】
【特許文献１】特開２０１４−１７１５７５号公報
【特許文献２】特開２０１４−２２１３５号公報
【特許文献３】特開２０１０−２６４２２６号公報
【考案の概要】
【考案が解決しようとする課題】
【００１０】
以上のように、化粧品などを販売する店の商品陳列棚は、多数の棚板が設けられ、各棚板の前部付近に、棚板に陳列される商品を照明するために、照明器具が取り付けられている。
この種の商品陳列棚の照明システムとして上記構成の照明装置は、展示されている多数の商品を照明するとともに広告や案内などを記した文字や絵などを同時に照明することでは有効である。
しかしながら、照明装置自体および照明装置を取り付ける陳列棚の構成は、設置のし易さ、および照明装置の種々の陳列棚への取付けに対応しているとは考えにくい。
【００１１】
本考案は、上記課題を解決するもので、その目的は、多段で構成される陳列棚の１つの展示段のディスプレイ表示板（案内や広告の文字，記号，図形，絵または写真を印刷などしたコルトンフィルム）と該展示段の下側に位置する展示段とを同時に照明するＬＥＤ照明装置であって、その内部構成の組み立てが容易で、陳列棚に取り付ける場合、側面より簡単に装着可能な構造のＬＥＤ照明装置を提供することにある。
また、本考案の他の目的は、上記ＬＥＤ照明装置を１つの展示段の前面側に装着して該展示段のディスプレイ表示板を背面から出来るだけ一様な照度になるように、同時に下側の展示段の商品などを照明ムラがないように照射できる配置となるように側面より簡単に装着して組み立てることができる商品陳列棚を提供することにある。
【課題を解決するための手段】
【００１２】
前記目的を達成するために本考案の請求項１記載のＬＥＤ照明装置は、基板上にＬＥＤ素子を複数個実装してＬＥＤ素子実装基板を組み立て、放熱器の上下に前記ＬＥＤ素子実装基板をそれぞれ取付けることによりＬＥＤ素子実装基板組体を形成して放熱器の上方向と下方向にそれぞれＬＥＤ素子の光軸を向けてそれぞれ光を照射するように構成し、該ＬＥＤ素子実装基板組体の周囲を透明カバーで覆い、該透明カバーで覆ったＬＥＤ素子実装基板組体を商品陳列棚の側面から商品陳列棚内にスライド挿入することにより商品陳列棚に固定することを特徴とする。
本考案の請求項２記載のＬＥＤ照明装置は、請求項１記載のＬＥＤ照明装置において、前記基板は横長の形状であり、該基板に１または複数の列で前記ＬＥＤ素子を複数実装し、前記放熱器は横長の形状で、該放熱器の上面および下面は長手方向に相互に平行状態になるようにそれぞれ基板搭載面を有し、前記上面および下面の基板搭載面にそれぞれ搭載するＬＥＤ素子実装基板組体のＬＥＤ素子の光軸は略反対方向に形成されたことを特徴とする。
本考案の請求項３記載のＬＥＤ照明装置は、請求項１記載のＬＥＤ照明装置において、前記基板は横長の形状であり、該基板に１または複数の列で前記ＬＥＤ素子を複数実装し、前記放熱器は横長の形状で、該放熱器の上面および下面は長手方向に一定の角度になるようにそれぞれ基板搭載面を有し、前記上面および下面の基板搭載面にそれぞれ搭載するＬＥＤ素子実装基板組体のＬＥＤ素子の光軸を傾けることを特徴とする。
本考案の請求項４記載のＬＥＤ照明装置は、請求項１，２または３記載のＬＥＤ照明装置において、前記透明カバーは、略Ｃ字形状の断面構造で横長の形状であり前記放熱器と略同じ寸法の長さを有する上透明カバーおよび下透明カバーより形成され、前記上透明カバーおよび下透明カバーを前記ＬＥＤ素子実装基板組体を挟むように覆って組み立てたことを特徴とする。
本考案の請求項５記載のＬＥＤ照明装置は、請求項４記載のＬＥＤ照明装置において、前記放熱器は各端縁に嵌合溝を有し、透明カバーの略Ｃ字形状断面構造の端部を前記嵌合溝に嵌合させ挿入することにより、前記上透明カバーおよび下透明カバーを前記放熱器に結合することを特徴とする。
本考案の請求項６記載のＬＥＤ照明装置は、請求項１乃至５のいずれかに記載のＬＥＤ照明装置において、前記放熱器はアルミ材であり、前記透明カバーはプラスチック材であることを特徴とする。
本考案の請求項７記載のＬＥＤ照明装置を装着した商品陳列棚は、陳列棚の前面側に嵌合空間を形成する上部支持部と下部支持部を有し、前記上部支持部と下部支持部は光を通過させる部材で構成し、前記上部支持部の上に、略Ｖ字形状の断面構造であって所定長さを有し、Ｖ字形状の表示上板にコルトンフィルムなどの表示体を取り付けたディスプレイ表示板を設け、前記嵌合空間に前記ＬＥＤ照明装置を側面から挿通して設置することにより、前記ＬＥＤ照明装置の上面から放射する光と下面から放射する光を前記上部支持部および下部支持部を透過させ、前記ディスプレイ表示板の裏面側から前記コルトンフィルムなどの表示体を照明するとともに下段に設けた他の陳列棚の商品等を上部から照明することを特徴とする。
本考案の請求項８記載のＬＥＤ照明装置を装着した商品陳列棚は、請求項７記載のＬＥＤ照明装置を装着した商品陳列棚において、前記上部支持部および下部支持部との間に、上透明カバーおよび下透明カバーで覆ったＬＥＤ照明装置を側面からスライド挿入し挟み込んだ状態で押し込むことにより前記ＬＥＤ照明装置を嵌合空間に固定する構造を備えたことを特徴とする。
本考案の請求項９記載のＬＥＤ照明装置を装着した商品陳列棚は、請求項７または８記載のＬＥＤ照明装置を装着した商品陳列棚において、前記ＬＥＤ照明装置の両端部に雌と雄のコネクタをそれぞれ有し、１つの陳列棚の雌のコネクタと、該１つの陳列棚に隣接して設けた、他の陳列棚に装着したＬＥＣ照明装置の雄のコネクタとを接続し、各陳列棚にＬＥＤ素子の電力が供給されることを特徴とする。
【考案の効果】
【００１３】
上記構成によれば、１つの照明装置で上下にそれぞれ照明光を出射し、下段の商品陳列棚を照明すると同時に上段のディスプレイ表示板を表示し、商品およびディスプレイ表示板を広範囲な照射角度で一様にムラなく照明することができようになる。
また、照明光を発する照明装置組体を容易に組み立てることができる構造であり、さらに商品陳列棚への照明装置自体の装着も容易な構成で実現できる。
【図面の簡単な説明】
【００１４】
【図１】本考案によるＬＥＤ照明装置の実施の形態を示す部分斜視図である。
【図２】ＬＥＤ照明装置の外観を示す斜視図である。
【図３Ａ】ＬＥＤ照明装置の分解斜視図である。
【図３Ｂ】ＬＥＤ照明装置の各部品を分解して側面から示した図である。
【図３Ｃ】ＬＥＤ照明装置を構成する上透明カバーおよび下透明カバーの詳細を示す部分斜視図である。
【図３Ｄ】ＬＥＤ照明装置を構成するアルミ放熱器の詳細を示す部分斜視図である。
【図４】陳列棚にＬＥＤ照明装置を装着した状態を説明するための部分側面図である。
【図５】ＬＥＤ照明装置を装着した陳列棚を説明するための概略側面図で、上側のカードホルダと下側の商品をそれぞれ照明している状態を示す図である。
【図６】ＬＥＤ照明装置の放熱器の他の実施の形態を示す側面図である。
【図７】図６の放熱器で構成したＬＥＤ照明装置を装着した陳列棚を説明するための概略側面図で、上側のカードホルダと下側の商品をそれぞれ照明している状態を示す図である。
【図８Ａ】上下２段、左右４列に構成した陳列棚組体の斜視図である。
【図８Ｂ】上下４段、左右２列に構成した陳列棚組体の斜視図である。
【図８Ｃ】陳列棚の取付板への取付け構造を説明するための側面図である。
【図９Ａ】ＬＥＤ照明装置を装着した陳列棚を説明するための正面図である。
【図９Ｂ】６段６列の陳列棚を設置することができる取付板に８個の陳列棚を装着した状態を示す図である。
【図１０】考えられるＬＥＤ照明装置の例を説明するための図で、（ａ）は正面図，（ｂ）は側面図，（ｃ）はＬＥＤ素子実装基板の平面図である。
【考案を実施するための形態】
【００１５】
以下、図面を参照して本考案の実施形態をさらに詳しく説明する。
図１は、本考案によるＬＥＤ照明装置の実施の形態を示す部分斜視図であり、ＬＥＤ照明装置の端部に被せたキャップは切断して示してある。図２はＬＥＤ照明装置の外観を示す斜視図である。また、図３Ａ〜図３ＤはＬＥＤ照明装置の分解斜視図，ＬＥＤ照明装置の各部品の側面図，上透明カバーおよび下透明カバーの詳細部分斜視図，アルミ放熱器の詳細部分斜視図をそれぞれ示している。
ＬＥＤ素子実装基板１，１がアルミ放熱器２の上側面と下側面にそれぞれ搭載されている。ＬＥＤ素子実装基板１は、図３Ａに示すように横長矩形で、実装されているＬＥＤ素子５は例えば１列で２７個所定の間隔で配列され、上方向に各ＬＥＤ素子５が発する光を放射する。アルミ放熱器２の上面のＬＥＤ素子実装基板１と下面のＬＥＤ素子実装基板１は同じ形状である。
【００１６】
図３Ａ，図３Ｂ，図３Ｄに示すように、アルミ放熱器２は、横長の形状であって、前縁面と後縁面にそれぞれタップ孔２Ｏが、その上下には互いに平行面となる基板搭載面２ｅ，２ｆが形成され、基板搭載面の端部に横長の襞部２ｇ，２ｈ，２ｉおよび２ｊを有している。ＬＥＤ素子実装基板１，１から生じる熱を効率的に放射するためである。この襞部２ｇ，２ｈ，２ｉおよび２ｊにはそれぞれ嵌合溝２ａ，２ｂ，２ｃおよび２ｄが設けられ、襞部２ｇ，２ｈ，２ｉおよび２ｊと基板搭載面２ｅ，２ｆとの間にそれぞれ装着溝２ｋ，２ｌ，２ｍ，２ｎが形成されている。
嵌合溝２ａ，２ｂに上透明カバー３が、嵌合溝２ｃ，２ｄに下透明カバー４が嵌合され、装着溝２ｋ，２ｌおよび装着溝２ｍ，２ｎにはＬＥＤ素子実装基板１，１がそれぞれ装着される。
上透明カバー３，下透明カバー４は例えばＰＥＴ（ポリエチレンテレフタレート）によって構成されている。
【００１７】
図３Ｃに示すように上透明カバー３，下透明カバー４は側面から見ると略Ｃ字形状面３ｃ，４ｃを形成している。さらにＣ字形状の両端部は内側に曲がって嵌合突起３ａ，３ｂ、４ａ，４ｂが形成されている。Ｃ字形状の内側の空間部がアルミ放熱器収容スペース３ｅおよび４ｅとなる。
図３Ａ，図３Ｂに示すようにＬＥＤ照明装置１２の前縁と後縁にそれぞれ取付けられるキャップ６は矩形形状であり、外周部分にＬＥＤ照明装置１２の前縁部分と後縁部分を嵌入するためのフランジ６ｃが形成されている。また、中央にタップネジ９を通すためのネジ用孔６ａが、ネジ用孔６ａの上側にリード線７を配線するための配線用孔６ｂを有している。
【００１８】
図１に示すＬＥＤ照明装置１２の組み立てはつぎの手順によって行なわれる（主に図３Ａ参照）。
ＬＥＤ素子５を搭載したＬＥＤ素子実装基板１，１の端部にはＤＣ１２Ｖの電源を供給するためのリード線７ａ，７ｂの一端がそれぞれ電気接続される。リード線７ａと７ｂは中間部分で並列接続され、リード線７が形成される。リード線７はキャップ６の配線用孔６ｂに通されコネクタ（雌）８に接続される。
このように組み立てた後、ＬＥＤ素子実装基板１，１はアルミ放熱器２の後方端から装着溝２ｋ，２ｌと装着溝２ｍ，２ｎにそれぞれ差し込まれ、図３Ａに示すＡ方向に挿通され、ＬＥＤ素子実装基板１，１がアルミ放熱器２に装着される。ＬＥＤ素子実装基板１，１の前方端には後方端と同様にリード線が接続され、キャップ６の配線用孔６ｂにリード線が挿通され、雄のコネクタに接続される（図３ＡではＬＥＤ素子実装基板１，１の前方端に接続する、コネクタに結合されたリード線の記載は省略されている）。
【００１９】
上透明カバー３および下透明カバー４がアルミ放熱器２の嵌合溝２ａ，２ｂと嵌合溝２ｃ，２ｄにそれぞれ差し込まれ、アルミ放熱器２に嵌合させられる。さらにアルミ放熱器２に嵌合させられた上透明カバー３および下透明カバー４が挿入されて、図１に示すＬＥＤ照明装置１２の組体が製作される。
次にキャップ６がフランジ６ｃによって上透明カバー３および下透明カバー４の前方側と後方側それぞれに被せられ、タップネジ９がアルミ放熱器２のタップ孔２Ｏにネジ止めされてキャップ６が取り付けられ、図２に示すコネクタを備えたＬＥＤ照明装置１２が完成する。
このＬＥＤ照明装置１２の横長の寸法は例えば、５０ｃｍほどである。
【００２０】
図４は陳列棚にＬＥＤ照明装置を装着した状態を説明するための部分側面図である。
陳列棚１０は陳列棚１０の前面付近に上部支持部１０ａおよび下部支持部１０ｂを有しており、この上部支持部１０ａおよび下部支持部１０ｂの間にＬＥＤ照明装置収容スペース１１が形成されている。上部支持部１０ａおよび下部支持部１０ｂは透明体で構成されている。
上部支持部１０ａにカードホルダ１５が取り付けられている。
カードホルダ１５は断面がＶ字形状の横長構造であり、表示上板１５ａとフィルム狭持板１５ｂで構成されている。カードホルダ１５の前面側となる表示上板１５ａとフィルム狭持板１５ｂの間はフィルムを差し込みできる程度の隙間が形成されている。
【００２１】
ＬＥＤ照明装置１２を上部支持部１０ａと下部支持部１０ｂの間に差し込み挿入することにより、キャップ６が上部支持部１０ａおよび下部支持部１０ｂに接触して支持され、ＬＥＤ照明装置１２を陳列棚１０の前面付近に装着することができる。
ＬＥＤ照明装置１２の上透明カバー３および下透明カバー４はＬＥＤ素子実装基板１，１からの照明光を上側および下側にそれぞれ透過させ、カードホルダ１５の裏面側からコルトンフィルム１６が照明されると同時に、図示しない商品が照明される。
【００２２】
図５はＬＥＤ照明装置を装着した陳列棚を説明するための概略側面図で、上側のカードホルダと下側の商品をそれぞれ照明している状態を示している。
ＬＥＤ照明装置１２のアルミ放熱器２のＬＥＤ素子実装基板１，１が搭載されている基板搭載面２ｅと２ｆ（図３Ｂ参照）は平行位置の関係にあり、ＬＥＤ素子実装基板１，１のＬＥＤ素子から照射される光の光軸は上下１８０°異なる方向に向いている。
図５に示す符号１０ｄ−１，１０ｄ−２，１０ｄ−３および１０ｆ−１，１０ｆ−２，１０ｆ−３は、上部照明光１０ｄおよび下部照明光１０ｆの光の進行方向をそれぞれ示し、上部照明光１０ｄおよび下部照明光１０ｆは一つのＬＥＤ素子から放射される範囲を表し、この例では約１２０°の照明角にしてある。このような照明を行うＬＥＤ素子が基板の横方向に一定の間隔で多数搭載されているためＬＥＤ照明装置１２は横方向に一様にコルトンフィルム１６と下段の陳列棚底板１０ｅに展示されている商品である化粧品２６，２７を照明することができる。
【００２３】
図６はＬＥＤ照明装置の放熱器の他の実施の形態を示す側面図である。
アルミ放熱器３２は図１のアルミ放熱器２の構造とは異なり、ＬＥＤ素子実装基板１，１を搭載する上下の基板搭載面３２ａ，３２ｂは，平行ではなく３０°の角度差となっている。
ＬＥＤ照明装置２２を構成するアルミ放熱器３２以外の部分は、図３Ａの構成と同じである。
アルミ放熱器３２をこのような構造にすると、ＬＥＤ照明装置２２の下面から出る光の光軸に対し、上面から出る光の光軸は真上ではなく、３０°だけ傾いた方向になり、下面側の光の方向が変わる。
【００２４】
図７は図６の放熱器で構成したＬＥＤ照明装置を装着した陳列棚を説明するための概略側面図で、上側のカードホルダと下側の商品をそれぞれ照明している状態を示している。
ＬＥＤ照明装置２２の上透明カバー３の上面の全面は上部支持部１０ａの下面と接するように装着されているためＬＥＤ照明装置２２からの上部照明光１０ｄは図５と同じ照射方向で照射される。一方、ＬＥＤ照明装置２２の下透明カバー４の一部が嵌合突起１０ｃで支持されるように装着され、ＬＥＤ照明装置２２の下側へ放射される下部照明光１０ｆの角度は図５とは異なる角度となっている。すなわち、１８０°の照射範囲全体の角度は水平に近い照射角度となる。
【００２５】
図８Ａは、上下２段、左右４列に構成した陳列棚組体の斜視図，図８Ｂは上下４段、左右２列に構成した陳列棚組体の斜視図である。図８Ｃは陳列棚の取付け構造を説明するための側面図である。
陳列棚１０多数が取付板１９の上下方向および左右方向に並べて取り付けられる構造となっている。
係止部１９ａは取付板１９に所定間隔で多数固定され、その形状は横長で鍵形構造になっている。
一方、陳列棚１０の背後に陳列係合板２１が取り付けられている。陳列係合板２１は横長で、その上下が鍵形構造になっている。
【００２６】
上下に１つ置いて隣接する２つの係止部１９ａに陳列係合板２１の上下の鍵構造部分を引っ掛けることにより取付板１９の何れの個所にも取り付けることができる。
並列して陳列棚１０を取付板１９に取り付けた後、隣合う陳列棚１０の雄と雌のコネクタを結合することにより、すべての陳列棚のＬＥＤ照明装置に電力を供給することができる。
【００２７】
図９ＡはＬＥＤ照明装置を装着した陳列棚を説明するための正面図で、上側のカードホルダと下段の商品をそれぞれ照明している状態を示している。
カードホルダ１５は図９Ａに示すように横長で、図５，図７から明らかなようにその側面はＶ字形状となっている。表示上板１５ａとフィルム挟持板１５ｂとの間の隙間に案内や広告などを記したコルトンフィルムを挿通することによりコルトンフィルム上のディスプレイ文字１６ａなどを顧客は見ることができる。
カードホルダ１５のＶ字角度は、表示上板１５ａの角度が顧客が見やすい角度になる傾きになっている。
【００２８】
カードホルダ１５は透明体であるので、ＬＥＤ照明装置１２から出射した上部照明光１０ｄは陳列棚の上部支持部１０ａおよびカードホルダ１５の上部支持部１０ａに取り付けた側の表示上板１５ａとフィルム狭持板１５ｂを透過し、カードホルダ１５に挿通されたコルトンフィルムを裏側から照らし、前面側から顧客が文字等を明瞭に見ることができる。
設置されたＬＥＤ照明装置１２の下部からは下部照明光１０ｆが一様に下段に展示した化粧品２６，２７を照明することができる。
【００２９】
図９Ｂは、６段６列の陳列棚を設置することができる取付板に８個の陳列棚を装着した状態を示す図である。
電力供給システムはコードに並列に多数雄のコネクタ２５が接続され、コードの一方端が電源プラグ２４に接続されたＡＣ−ＤＣコンバータ２３（例えばＡＣ１００ボルトをＤＣ１２ボルトに変換）が結合されたものである。
取付板に取り付けた陳列棚１０の側面から延伸された雌のコネクタ８を電源供給システムの雄のコネクタ２５に結合するような構成となっている。
このような構造にすることにより、陳列棚枠体の規模を任意な大きさにすることができる。
【００３０】
以上の実施の形態では上透明カバー，下透明カバー，陳列棚の上部支持部，下部支持部，カードホルダは透明体の材料を用いており、その部材としてＰＥＴ（ポリエチレンテレフタレート），アクリル樹脂，ポリカーボネートのプラスチック材の何れかを用いることができる。また、透明体ではなく半透明のプラスチック材を用いることも可能である。また、ＬＥＤ素子実装基板に実装されるＬＥＤ素子は１列に配置した例を示したが、２列以上の多数列に配置しても良い。
【産業上の利用可能性】
【００３１】
陳列棚に展示された化粧品などの商品を照明し、商品に関連する案内を表示する案内板や広告も照明表示が可能なＬＥＤ照明装置である。また、ＬＥＤ照明装置を装着できる商品陳列棚である。
【符号の説明】
【００３２】
１  ＬＥＤ素子実装基板
２，３２  アルミ放熱器
３  上透明カバー
４  下透明カバー
５  ＬＥＤ素子
６  キャップ
７  リード線
８  コネクタ（雌，雄）
９  タップネジ
１０  陳列棚
１１  ＬＥＤ照明装置収容スペース
１２，２２  ＬＥＤ照明装置
１５  カードホルダ
１６  コルトンフィルム
１７，１８  陳列棚組体
１９  取付板
２１  陳列係合板
２３  ＡＣ−ＤＣコンバータ
２４  電源プラグ
２６，２７  化粧品
【図２】
0003199057.tif 000003
【図３Ａ】
0003199057.tif 000004
【図３Ｂ】
0003199057.tif 000005
【図３Ｃ】
0003199057.tif 000006
【図３Ｄ】
0003199057.tif 000007
【図６】
0003199057.tif 000008
【図７】
0003199057.tif 000009
【図８Ａ】
0003199057.tif 000010
【図８Ｂ】
0003199057.tif 000011
【図８Ｃ】
0003199057.tif 000012
【図９Ａ】
0003199057.tif 000013
【図９Ｂ】
0003199057.tif 000014
【図１０】
0003199057.tif 000015
【図１】
0003199057.tif 000016
【図４】
0003199057.tif 000017
【図５】
0003199057.tif 000018
【手続補正書】
【提出日】平成27年6月9日(2015.6.9)
【手続補正１】
【補正対象書類名】明細書
【補正対象項目名】００１２
【補正方法】変更
【補正の内容】
【００１２】
前記目的を達成するために本考案の請求項１記載のＬＥＤ照明装置は、基板上にＬＥＤ素子を複数個実装してＬＥＤ素子実装基板を組み立て、放熱器の上下に前記ＬＥＤ素子実装基板をそれぞれ取付けることによりＬＥＤ素子実装基板組体を形成して放熱器の上方向と下方向にそれぞれＬＥＤ素子の光軸を向けてそれぞれ光を照射するように構成し、該ＬＥＤ素子実装基板組体の周囲を透明カバーで覆い、該透明カバーで覆ったＬＥＤ素子実装基板組体を商品陳列棚の側面から商品陳列棚内にスライド挿入することにより商品陳列棚に固定することを特徴とする。
本考案の請求項２記載のＬＥＤ照明装置は、請求項１記載のＬＥＤ照明装置において、前記基板は横長の形状であり、該基板に１または複数の列で前記ＬＥＤ素子を複数実装し、前記放熱器は横長の形状で、該放熱器の上面および下面は長手方向に相互に平行状態になるようにそれぞれ基板搭載面を有し、前記上面および下面の基板搭載面にそれぞれ搭載するＬＥＤ素子実装基板組体のＬＥＤ素子の光軸は略反対方向に形成されたことを特徴とする。
本考案の請求項３記載のＬＥＤ照明装置は、請求項１記載のＬＥＤ照明装置において、前記基板は横長の形状であり、該基板に１または複数の列で前記ＬＥＤ素子を複数実装し、前記放熱器は横長の形状で、該放熱器の上面および下面は長手方向に一定の角度になるようにそれぞれ基板搭載面を有し、前記上面および下面の基板搭載面にそれぞれ搭載するＬＥＤ素子実装基板組体のＬＥＤ素子の光軸を傾けることを特徴とする。
本考案の請求項４記載のＬＥＤ照明装置は、請求項１，２または３記載のＬＥＤ照明装置において、前記透明カバーは、略Ｃ字形状の断面構造で横長の形状であり前記放熱器と略同じ寸法の長さを有する上透明カバーおよび下透明カバーより形成され、前記上透明カバーおよび下透明カバーを前記ＬＥＤ素子実装基板組体を挟むように覆って組み立てたことを特徴とする。
本考案の請求項５記載のＬＥＤ照明装置は、請求項４記載のＬＥＤ照明装置において、前記放熱器は各端縁に嵌合溝を有し、透明カバーの略Ｃ字形状断面構造の端部を前記嵌合溝に嵌合させ挿入することにより、前記上透明カバーおよび下透明カバーを前記放熱器に結合することを特徴とする。
本考案の請求項６記載のＬＥＤ照明装置は、請求項１乃至５のいずれかに記載のＬＥＤ照明装置において、前記放熱器はアルミ材であり、前記透明カバーはプラスチック材であることを特徴とする。
本考案の請求項７記載のＬＥＤ照明装置を装着した商品陳列棚は、陳列棚の前面側に嵌合空間を形成する上部支持部と下部支持部を有し、前記上部支持部と下部支持部は光を通過させる部材で構成し、前記上部支持部の上に、略Ｖ字形状の断面構造であって所定長さを有し、Ｖ字形状の表示上板にコルトンフィルムなどの表示体を取り付けたディスプレイ表示板を設け、前記嵌合空間に、請求項１に記載のＬＥＤ照明装置を側面から挿通して設置することにより、前記ＬＥＤ照明装置の上面から放射する光と下面から放射する光を前記上部支持部および下部支持部を透過させ、前記ディスプレイ表示板の裏面側から前記コルトンフィルムなどの表示体を照明するとともに下段に設けた他の陳列棚の商品等を上部から照明することを特徴とする。
本考案の請求項８記載のＬＥＤ照明装置を装着した商品陳列棚は、請求項７記載のＬＥＤ照明装置を装着した商品陳列棚において、前記上部支持部および下部支持部との間に、上透明カバーおよび下透明カバーで覆ったＬＥＤ照明装置を側面からスライド挿入し挟み込んだ状態で押し込むことにより前記ＬＥＤ照明装置を嵌合空間に固定する構造を備えたことを特徴とする。
本考案の請求項９記載のＬＥＤ照明装置を装着した商品陳列棚は、請求項７または８記載のＬＥＤ照明装置を装着した商品陳列棚において、前記ＬＥＤ照明装置の両端部に雌と雄のコネクタをそれぞれ有し、１つの陳列棚の雌のコネクタと、該１つの陳列棚に隣接して設けた、他の陳列棚に装着したＬＥＤ照明装置の雄のコネクタとを接続し、各陳列棚にＬＥＤ素子の電力が供給されることを特徴とする。
【手続補正２】
【補正対象書類名】実用新案登録請求の範囲
【補正対象項目名】請求項７
【補正方法】変更
【補正の内容】
【請求項７】
陳列棚の前面側に嵌合空間を形成する上部支持部と下部支持部を有し、前記上部支持部と下部支持部は光を通過させる部材で構成し、
前記上部支持部の上に、略Ｖ字形状の断面構造であって所定長さを有し、Ｖ字形状の表示上板にコルトンフィルムなどの表示体を取り付けたディスプレイ表示板を設け、
前記嵌合空間に、請求項１に記載のＬＥＤ照明装置を側面から挿通して設置することにより、前記ＬＥＤ照明装置の上面から放射する光と下面から放射する光を前記上部支持部および下部支持部を透過させ、前記ディスプレイ表示板の裏面側から前記コルトンフィルムなどの表示体を照明するとともに下段に設けた他の陳列棚の商品等を上部から照明することを特徴とするＬＥＤ照明装置を装着した商品陳列棚。
【手続補正３】
【補正対象書類名】実用新案登録請求の範囲
【補正対象項目名】請求項９
【補正方法】変更
【補正の内容】
【請求項９】
前記ＬＥＤ照明装置の両端部に雌と雄のコネクタをそれぞれ有し、
１つの陳列棚の雌のコネクタと、該１つの陳列棚に隣接して設けた、他の陳列棚に装着したＬＥＤ照明装置の雄のコネクタとを接続し、各陳列棚にＬＥＤ素子の電力が供給されることを特徴とする請求項７または８記載のＬＥＤ照明装置を装着した商品陳列棚。